(57)【要約】【課題】傘の生地表面、特に石突き部近傍部に付着した水滴を効率良く取り除ける傘の水切り装置を提供する。【解決手段】上記課題を解決するために本発明の傘の水切り装置１は、傘の水切り装置であって、閉じた状態の傘（１１）を、装置本体（２）の傘挿入案内部（４）に石突き部（１４）を下方にして押し込むことにより、傘（１１）に付着した水滴を振り落とす傘の水切り装置において、前記装置本体（２）の所定高さ位置に弾性水切り部材（８）を設け、該弾性水切り部材（８）は、傘の石突き部（１４）が通過するのを許容する孔（８ａ）と、傘の該石突き部（１４）近傍部に付着した水滴（２１）を掻き取る水切り部分（８ｂ）とを有する。【選択図】図８
2020005984.tif 000002
【特許請求の範囲】
【請求項１】
傘の水切り装置であって、閉じた状態の傘（１１）を、装置本体（２）の傘挿入案内部（４）に石突き部（１４）を下方にして押し込むことにより、傘（１１）に付着した水滴を振り落とす傘の水切り装置において、
前記装置本体（２）の所定高さ位置に弾性水切り部材（８）を設け、該弾性水切り部材（８）は、傘の石突き部（１４）が通過するのを許容する孔（８ａ）と、傘の該石突き部（１４）近傍部に付着した水滴（２１）を掻き取る水切り部分（８ｂ）とを有する、ことを特徴とする装置。
【請求項２】
請求項１記載の傘の水切り装置において、
前記弾性水切り部材（８）は、前記装置本体（２）に対して、略水平方向に伸びるように取付けられている、装置。
【請求項３】
請求項１又は２に記載の傘の水切り装置において、
前記弾性水切り部材（８）の水切り部分（８ｂ）は、複数の溝（８ｃ）により分割形成された複数の分割水切り部分（８ｂ）を備える、装置。
【請求項４】
請求項１乃至３の何れかに記載の傘の水切り装置において、
前記弾性水切り部材（８）はゴム材料又はスポンジ材料から形成される、装置。
【請求項５】
請求項１乃至４の何れかに記載の傘の水切り装置において、
前記装置本体（２）の底部（６）に、前記石突き部（１４）が当接するときの衝撃を吸収する衝撃吸収部材（７）を設けた、装置。
【請求項６】
請求項1乃至５の何れかに記載の傘の水切り装置において、
前記傘挿入案内部（４）は断面略Ｖ字形状であって、傘に付着した水滴の通過を許容する多数の小孔（４ｂ）を有する、装置。
【請求項７】
請求項６に記載の傘の水切り装置において、
前記多数の小孔（４ｂ）を有する傘挿入案内部（４）は網目状部材である、装置。
【発明の詳細な説明】
【技術分野】
【０００１】
本発明は、雨天時に傘の生地表面、特に石突き部近傍部の生地表面に付着した水滴を効率良く取り除くことができる傘の水切り装置に関する。
【背景技術】
【０００２】
従来から学校、病院、会社、公共施設等、多数の人が出入りする建築物の玄関等には、雨天時に使用した傘の生地表面に付着した水滴を取り除いて上記建築物内への雨滴の浸入を防止する目的で傘用の水切り装置が多く設置されている。  
【０００３】
このような傘用の水切り装置としては、傘の生地表面にビニール袋を被せることによって建築物内への雨滴の浸入を防止するようにしたもの、傘の生地表面に熱風を当てて乾燥させることによって当該水滴を除去するようにしたもの、傘を回転させることによって発生する遠心力を利用して当該水滴を除去するようにしたもの等が従来から存在している。
【０００４】
また、使用後の上記ビニール袋の廃棄処理の問題や省エネルギー化等の要請に応えて、ビニール袋等を使用することなく、また一切の動力を必要としない、下記の特許文献１に示すようなタイプの傘用の水切り装置も開発されている。  
【０００５】
そして、特許文献１に開示されている傘用の水切り装置は、傘３をＶ字状空間４に差し込んで左右に振り回すことにより、下方の石突き７が両方の壁８の下部に交互に当接した部分を支点として傘３の中間部及び上部が逆の壁８に交互に接触されて水滴が除去されることを目指している。
【先行技術文献】
【特許文献】
【０００６】
【特許文献１】特許第３２８９８３０号公報
【発明の概要】
【発明が解決しようとする課題】
【０００７】
ところで、一般に、傘は新品の当時は傘生地の撥水性も良いので、雨天で使用した傘を閉じて保持したときに傘生地に付着した水滴は重力により石突き部を介して比較的円滑に地表に落下する。しかしながら、傘の使用に伴い傘生地が経年変化して撥水性が低下すると、傘生地の石突き部の直上方隣接部（近傍部）に水滴が凝集して溜まって落下しない傾向になり、このまま傘を屋内に持ち込むと屋内に水滴が垂れて水たまりを作ってしまうことがあった。
また仮に上記特許文献１の如く傘を水切り装置のＶ字状空間に差し込んで振り回したとしても石突き部の近傍部の傘生地部分がＶ字状空間の壁に直接接触する訳ではないので、この部分の水滴を振り落とす水切り作業は不十分であるため、このまま傘を屋内に持ち込むと、同様に屋内に水滴が垂れて屋内廊下等を濡らしてしまうことがあった。これを防止するには、やはり傘を入れる透明ビニール袋や熱風装置、遠心力装置が必要になり、面倒であった。
【０００８】
そこで、本発明の目的は、傘の生地表面、特に石突き部近傍部に付着した水滴を効率良く取り除けるため、続いて傘を屋内に持ち込んでも水滴が垂れることがなく、しかも傘を入れる透明ビニール袋等も不要である傘の水切り装置を提供することである。
【課題を解決するための手段】
【０００９】
上記課題を解決するために、本発明の請求項１記載の傘の水切り装置は、傘の水切り装置であって、閉じた状態の傘（１１）を、前記装置本体（２）の傘挿入案内部（４）に石突き部（１４）を下方にして押し込むことにより、傘（１１）に付着した水滴を振り落とす傘の水切り装置において、装置本体の所定高さ位置に弾性水切り部材（８）を設け、該弾性水切り部材（８）は、傘の石突き部（１４）が通過するのを許容する孔（８ａ）と、傘の該石突き部（１４）近傍部に付着した水滴（２１）を掻き取る水切り部分（８ｂ）とを有する、ことを特徴とする。
好ましくは、前記弾性水切り部材（８）は、前記装置本体（２）に対して、略水平方向に伸びるように取付けられている。
また好ましくは、前記弾性水切り部材（８）の水切り部分（８ｂ）は、複数の溝（８ｃ）により分割形成された複数の分割水切り部分（８ｂ）である。
また好ましくは、前記弾性水切り部材（８）はゴム材料又はスポンジ材料から形成される。
更に好ましくは、装置本体（２）の底部（６）に、石突き部（１４）が当接するときの衝撃を吸収する衝撃吸収部材（７）を設けている。
更に好ましくは、前記傘挿入案内部（４）は断面Ｖ字形状であって傘に付着した水滴の通過を許容する多数の小孔（４ｂ）を有する。
更に好ましくは、前記多数の小孔（４ｂ）を有する傘挿入案内部（４）は網目状部材である。
【発明の効果】
【００１０】
本発明の傘の水切り装置によれば、次に示す効果がある。  
（１）  傘を装置本体（２）の傘挿入案内部（４）に押し込んだときに、弾性水切り部材（８）の水切り部分（８ｂ）が、傘の石突き部（１４）近傍部に凝集的に付着した大きな水滴（２１）を有効に掻き取ることができるから、続いて傘を屋内に持ち込んでも屋内に水滴が垂れて屋内廊下等を濡らしてしまうことがなく、また、これを防止するために、傘を透明ビニール等の傘袋に入れて持ち歩く必要も無くなる。
（２）  弾性水切り部材（８）は、装置本体（２）の支持部（５）に対して、略水平方向に伸びるように取付けられているから取付け構成が簡単である。
（３）  弾性水切り部材（８）の水切り部分（８ｂ）は、複数の溝（８ｃ）により分割形成された複数の分割水切り部分（８ｂ）であるため、複数の分割水切り部分（８ｂ）が変形したときに効率的に水滴を掻き取ることができる。
（４）  弾性水切り部材（８）はゴム材料又はスポンジ材料から形成されているため、安価な割に優れた水切り性能を発揮する。
（５）  装置本体（２）の底部（６）に、石突き部（１４）が当接するときの衝撃を吸収する衝撃吸収部材（７）を設けているから、傘を押し込むときの衝撃を吸収することができる。
（６）  傘挿入案内部（４）は断面略Ｖ字形状であって傘に付着した水滴の通過を許容する多数の小孔（４ｂ）を有するから、傘を左右に振り回すことにより傘の中間部及び上方部に付着した水滴も取り除くことができる。
（７）  多数の小孔（４ｂ）を有する傘挿入案内部（４）は網目状部材であるから、効率的に水滴を取り除くことができる。
【図面の簡単な説明】
【００１１】
【図１】本発明の実施の形態を示す図で、傘の水切り装置の全体構成の傘を挿入する前の状態を示す断面図である。
【図２】図１の平面図である。
【図３】図１の要部である水切り部を示す部分断面図である。
【図４】図３の平面図である
【図５】図３中のＶ−Ｖ線に沿った断面図である。
【図６】本発明の傘の水切り装置に適用する水切りゴム板の平面図である。
【図７】傘の下部に水滴が凝集的に付着した状態を示す図である。
【図８】本発明の傘の水切り装置に傘を挿入した状態を示すための図３に対応する図である。
【発明を実施するための形態】
【００１２】
以下、本発明に係る傘の水切り装置１の構成を図１乃至図６に示す実施の形態を例にとって具体的に説明する。  
【００１３】
図示の傘の水切り装置１は、一例としてステンレス製の四角筒形の本体２と、本体２内で上方から下方へ斜めに伸びる４枚の三角形外壁板３ａを四角錐形状組合せてなる四角錐形状の外壁３と、該四角錐形状の外壁３の内方に外壁板３ａとほぼ平行に伸びる４枚の三角形板４ａを組合せてなり、該外壁３に取付けられた四角錐形状（即ち、断面略Ｖ字形を組合せた形状）の傘挿入案内部分４と、後述する水切りゴム板８を支持するゴム板支持部５（本体下面２ａから高さｈの位置にある）とを備える。
外壁３の下端部の底板６（図３参照）の上面には、衝撃吸収用のスポンジ部材７が固着され、スポンジ部材７の両側には傘から分離した水滴が通過する１対の貫通孔６ａが設けられている。
傘挿入案内部分４の各三角形板４ａは、傘に付着した水滴を通過させるための無数の貫通小孔４ｂを有する。
８が所定厚さ（例えば３ｍｍ）の四角形水切りゴム板であり、図６に示す如く、一例として、中央貫通孔８ａと、周方向等分位置で半径方向に伸びる８個の半径方向溝８ｂと、該半径方向溝８ｂ間に分割形成された８個の分割水切り部分８ｃとを有する。尚、溝８ａは半径方向に限ることなく種々の方向に延びても良い。また水切りゴム板８は、図３及び図８に示す如く、本体２に固着したゴム板支持部５にねじ孔８ｄを利用して略水平方向に延びる状態で取付けられる。
なお、８個の水切り部分８ｃは、８個に限らず、２個以上なら個数に制限はない。また水切りゴム板８の材料は、ゴム以外にスポンジ等の弾性を有して、傘表面を傷つけない材料なら何でも良い。
９はトレイ状の水受けで、本体２の底板２ａ上面に出し入れ可能に収納されている。
１１は傘で、柄１２、傘本体１３、及び石突き部１４を有する。
次に、本発明に係る傘の水切り装置１の操作について説明する。
最初に、図７に示す如く、雨を受けた傘１１を屋内に持ち込んだ時に、その石突き部１４を下方にして傘を閉じると、傘本体部１３の下部表面に水滴２１ａが重力により分散しつつ凝集的に集まって溜まる。水滴２１ａが溜まる理由は、傘本体部１３の布地が経年変化して撥水性が低下するから円滑に流れ落ちないためである。この傘をそのまま屋内に持ち込んで振り動かしていると、水滴２１が屋内廊下等に垂れて濡らしてしまう。これを防止するには、傘を透明ビニール等の傘袋に入れて持ち歩く等の必要があって面倒である。
従って、本発明では、図８に示す如く、雨に濡れた傘を屋内に持ち込んで石突き部１４を下方にした状態で、屋内の入口に配置した上記装置１の本体２の傘挿入案内部分４内に傘本体１３を、石突き部１４下端部を底板６上面のスポンジ部材７に当接するまで挿入する。なお、当接の衝撃はスポンジ部材７により吸収される。
傘の挿入途中において、石突き部１４及び傘本体部１３の下端部が水切りゴム板８の中央貫通孔８ａを通過するから、特に傘本体部１３の下端部の通過に伴い、水切りゴム板８の８個の分割水切り部分８ｃの中央部が図中下方へ弾性的にしなり変形される。
従って、傘本体部１３の下部表面に分散状態で凝集的に溜まった水滴２１ａは傘の挿入に伴い、上記下方へ弾性的変形した分割水切り部分８ｃにより、相対的に傘本体部１３の表面を上方へ掻き取られながら移動して、一つの大きな水滴塊２１ｂになる。
従って、大きな水滴塊２１ｂの重力が、傘本体部１３表面への付着力よりも大きくなるため、水滴塊２１ｂは水切りゴム板８の８個の半径方向溝８ｂを通過して下方へ落下し、更に底板６の貫通孔６ａを通過して水受け９で受けられる。
これと同時に、傘を左右にぐるぐると振り回すと、傘本体部１３の表面が四角錐形状（即ち、断面略Ｖ字形）傘挿入案内部分４に押し当てられて、傘本体部１３表面に付着した水滴が傘挿入案内部分４の無数の小孔４ｂを介して外方へ移動して、四角錐形状の外壁３の表面に沿って落下して、同じく底板６の貫通孔６ａを通過して水受け９へ至る。この傘挿入案内部分４による水切り操作自体は従来例と同様であり、必ずしも必須ではない。
従って、この後に傘を屋内に持ち込んで振り動かしても、大きな水滴２１ｂは消失しているから、屋内廊下等に垂れて濡らしてしまうことはない。また傘を透明ビニール等の傘袋に入れて持ち歩く等の必要も無くなり、便利である。
【符号の説明】
【００１４】
１  傘の水切り装置
２  装置本体
３  外壁
３ａ  外壁板
４  傘挿入案内部分
４ａ  三角形板
４ｂ  小孔
５  ゴム板支持部
６  底板
６ａ  貫通孔
７  スポンジ材料
８  水切りゴム板
８ａ  中央孔
８ｂ  分割水切り部分
８ｃ  半径方向溝
８ｄ  ねじ孔
９  水受け
１１  傘
１２  柄
１３  傘本体部
１４  石突き部
２１  水滴
２１ａ  凝集水滴
２１ｂ  水滴塊
【図１】
2020005984.tif 000003
【図２】
2020005984.tif 000004
【図３】
2020005984.tif 000005
【図４】
2020005984.tif 000006
【図５】
2020005984.tif 000007
【図６】
2020005984.tif 000008
【図７】
2020005984.tif 000009
【図８】
2020005984.tif 000010